Podtech/llm-jp-corpus-v4-ja_patent huggingface dataset:
(57)【要約】【課題】ライトガイドの固定強度を高めることができると共に、光の利用効率を高めることができる液晶表示装置のバックライトを得る。【解決手段】液晶パネルの背面から照明光を照射する液晶表示装置のバックライトユニットであって、基板１と、基板１上に配設されて複数エリアに分割された分割エリア毎に個別に駆動される光源部２と、光源部２の光放射側に配置された拡散シート部３と、複数エリアの各境界部に位置するように基板１上に固定・立設された、光分割反射壁となるライトガイド４とを備え、ライトガイド４は、先端部が拡散シート部３の下部に形成された溝部３１内に係合して固定され、拡散シート部３は、偏光方向を一方向にするための偏光反射拡散シート３Ｄを有する。【選択図】図１
2008311082.tif 000002
【特許請求の範囲】
【請求項１】
液晶パネルの背面から照明光を照射する液晶表示装置のバックライトユニットであって、
基板と、
前記基板上に配設されて複数エリアに分割された分割エリア毎に個別に駆動される光源部と、
前記光源部の光放射側に配置された拡散シート部と、
前記複数エリアの各境界部に位置するように前記基板上に固定・立設されて、光分割反射壁となるライトガイドと
を備え、
前記ライトガイドは、先端部が前記拡散シート部の下部に形成された溝部内に係合して固定され、
前記拡散シート部は、偏光方向を一方向にするための偏光反射拡散シートを有する
ことを特徴とする液晶表示装置のバックライトユニット。
【発明の詳細な説明】
【技術分野】
【０００１】
この発明は、液晶表示装置に用いられる光源部の光を複数のエリアに分割して拡散するための液晶表示装置のバックライトに関するものである。
【背景技術】
【０００２】
従来から、液晶表示装置のバックライトの光源として蛍光管やＬＥＤなどが用いられている。また、表示画面のコントラスト及び輝度を向上させるために、複数エリアに分割した表示画面に対応して異なる発光制御を行う光分割制御型の表示装置用バックライトユニットも提案されている（例えば、特許文献１参照）。また、この種の表示装置のバックライトユニットにおいては、複数エリアごとの光分割性能を向上させるために、各エリアの境界部に反射壁からなるライトガイドを設ける技術も提案されている（例えば、特許文献２参照）。
【０００３】
【特許文献１】特開２００５−２５８４０３号公報
【特許文献２】特開２００６−２１６５４３公報
【発明の開示】
【発明が解決しようとする課題】
【０００４】
しかしながら、従来のバックライトユニットにおいて、ライトガイドは光源部のみで固定されていたため、振動や衝撃で外れまたは破損が生じるという問題があった。また、発光源からの光がライトガイドと拡散シートとの間の隙間を介して隣接エリアに漏洩し、光の利用効率が低下していた。
【０００５】
この発明は上述した点に鑑みてなされたもので、ライトガイドの固定強度を高めることができると共に、光の利用効率を高めることができる液晶表示装置のバックライトを得ることを目的とする。
【課題を解決するための手段】
【０００６】
この発明に係る液晶表示装置のバックライトは、液晶パネルの背面から照明光を照射する液晶表示装置のバックライトユニットであって、基板と、前記基板上に配設されて複数エリアに分割された分割エリア毎に個別に駆動される光源部と、前記光源部の光放射側に配置された拡散シート部と、前記複数エリアの各境界部に位置するように前記基板上に固定・立設されて、光分割反射壁となるライトガイドとを備え、前記ライトガイドは、先端部が前記拡散シート部の下部に形成された溝部内に係合して固定され、前記拡散シート部は、偏光方向を一方向にするための偏光反射拡散シートを有することを特徴とする。
【発明の効果】
【０００７】
この発明によれば、ライトガイドの振動や衝撃に対する強度が増し、振動等による破損が免れると共に、拡散シート部の偏光反射拡散シートにより、分割領域内の空間で縦方向の光を多重反射させて再利用することにより、光の利用効率を高めることができる。
【発明を実施するための最良の形態】
【０００８】
図１は、この発明の実施の形態による液晶表示装置のバックライトを模式的に示す断面図である。図１に示すバックライトは、図示しない液晶パネルの背面から照明光を照射するものであって、基板１と、基板１上に配設されて複数エリアに分割された分割エリア毎に個別に駆動される光源部（例えば、ＬＥＤなどの発光素子）２と、光源部２の光放射側に配置された拡散シート部３と、複数エリアの各境界部に位置するように基板１上に固定・立設され、かつ先端部が拡散シート部３の下部に形成された溝部３１内に係合して固定された光分割反射壁となるライトガイド４とを備える。なお、拡散シート部３は、必要に応じて、複数エリアの各境界部に沿って上面に不透明な線３２が形成される。
【０００９】
ここで、拡散シート部３は、光を拡散させるための拡散板３Ａと、フィルム上に形成された拡散シート３Ｂと、集光機能を高めるためのプリズム拡散シート３Ｃと、偏光方向を一方向にするための偏光反射拡散シート３Ｄとが積層されて構成されている。そして、拡散板３Ａの下面には、複数エリアの各境界部の位置に溝部３１が設けられ、この溝部３１にライトガイド４の先端部が差し込まれて、ライトガイド４の固定強度を高められるようになっている。また、偏光反射拡散シート３Ｄにより、縦方向の光を反射させることで分割エリア内の空間で多重反射させて再利用することにより、光の利用効率を高めるようになっている。
【００１０】
従って、上記実施の形態によれば、拡散シート部３の拡散板３Ａに溝部３１を形成して、ライトガイド４の先端部を差し込むことで、ライトガイド４は、上下に固定部を持ち、振動や衝撃に対する強度が増し、振動等による破損が免れると共に、隣接エリアへの光の漏洩を防止できる。また、拡散シート部３には、偏光反射拡散シート３Ｄが積層され、分割領域内の空間で縦方向の光を多重反射させて再利用することにより、光の利用効率を高めることができる。
【００１１】
なお、上記実施の形態では、拡散板３Ａに溝部３１を形成してライトガイド４を差し込んでいるが、その他に以下の方法でも同様の効果が得られる。
（１）拡散板３Ａとライトガイド４を接着する。
（２）拡散板３Ａに臍穴を開けライトガイド４を差し込む。
また、実施の形態では、拡散板３Ａのみで固定しているが、拡散シート３Ｂやプリズム拡散シート３Ｃ、偏光反射拡散シート３Ｄにまで固定処理を実施してもよい。
【図面の簡単な説明】
【００１２】
【図１】この発明の実施の形態による液晶表示装置のバックライトを模式的に示す断面図である。
【符号の説明】
【００１３】
１  基板、２  光源部、３  拡散シート部、３１  溝部、３２  不透明な線、４  ライトガイド、３Ａ  拡散板、３Ｂ  拡散シート、３Ｃ  プリズム拡散シート、３Ｄ  偏光反射拡散シート。
【図１】
2008311082.tif 000003
(57)【要約】【課題】  設置面積あたりの発電量を向上させ、垂直壁面設置時にも有効な立体配列セル型太陽電池モジュールを提供する。【解決手段】  ３枚の太陽電池のセルを互いに他の２枚と２辺で直角に接するように立体配列することで、受光面積を従来のフラットタイプの√３倍とし、さらに、反射光を他のセルで受光させ、設置面積あたりの発電量を向上させることを特徴とする立体配列セル型太陽電池モジュール。【選択図】図１
2008311600.tif 000002
【特許請求の範囲】
【請求項１】
３枚の太陽電池のセルを互いに他の２枚と２辺で直角に接するように立体配列することで、受光面積を従来のフラットタイプの√３倍とし、さらに、反射光を他のセルで受光させ、設置面積あたりの発電量を向上させることを特徴とする立体配列セル型太陽電池モジュール。
【発明の詳細な説明】
【技術分野】
【０００１】  本発明は、３枚の太陽電池のセルを互いに他の２枚と２辺で直角に接するように立体的に配列することにより、受光面積を従来のフラットタイプの√３倍とし、さらに、反射光を他のセルで受光させ、設置面積あたりの発電量を向上させる立体配列セル型太陽電池モジュールに関するものである。
【背景技術】
【０００２】  従来、太陽電池モジュールは、数枚の太陽電池のセルを平面的に配列する方式のため、設置場所に制約を受け、また、太陽電池のセルからの反射光は発電に再利用されていない。
【発明の開示】
【発明が解決しようとする課題】
【０００３】  そのために、次のような問題点があった。
太陽電池モジュールは、主に建物の屋根に２０度から４０度の傾斜範囲で取り付けることから設置場所の制約があった。
また、垂直の壁面への設置は発電量が低下することから施工例が少ない。
本発明は、この問題点を解決するためになされたものである。
【課題を解決するための手段】
【０００４】  ３枚の太陽電池のセルを互いに他の２枚と２辺で直角に接するように立体的に配列することにより、受光面積を従来のフラットタイプの√３倍とし、さらに、反射光を他のセルで受光させ、設置面積あたりの発電量を向上させる。
以上を特徴とする立体配列セル型太陽電池モジュールである。
【発明の効果】
【０００５】  本発明は、３枚の太陽電池のセルを互いに他の２枚と２辺で直角に接するように立体的に配列することにより、従来のフラットタイプと比べ設置面積あたり√３倍の受光面積を得られるとともに、反射光を他のセルで受光させ、設置面積あたりの発電量を向上させることができる。
また、垂直面である壁面への設置時も各セルは壁面に対し４５度の傾斜となり、屋根設置と同等の発電量を得ることができるため、設置範囲を垂直壁面にまで拡大することができる。
【発明を実施するための最良の形態】
【０００６】  以下、本発明の実施の形態を説明する。
（イ）太陽電池セルＡ（１）の２辺に他の太陽電池セルＢ（２）と太陽電池セルＣ（３）を直角に接するように立体的に配列する。
（ロ）これら３枚の太陽電池セルで構成されるユニットをいくつか組み合わせて太陽電池モジュール（４）を構成する。
（ハ）太陽電池モジュール（４）は使用用途に応じた配列、数量により構成する。
本発明は、以上の構成よりなりたっている。
本発明を使用するときは、垂直壁面に設置する場合等、設置角度により、モジュール設置方向を上下反対にする。
これにより、効率的に太陽光をモジュールに受光することができる。
この場合、太陽電池セルＡ（１）の部分を鏡に変更することでコスト削減となる。
【図面の簡単な説明】
【０００７】
【図１】  本発明の使用状態を示した斜視図
【図２】  本発明の展開図
【図３】  本発明の斜視図
【符号の説明】
【０００８】  １      太陽電池セルＡ
２      太陽電池セルＢ
３      太陽電池セルＣ
４      太陽電池モジュール
【図１】
2008311600.tif 000003
【図２】
2008311600.tif 000004
【図３】
2008311600.tif 000005
(57)【要約】【課題】呼吸作用及び毛細管現象によるコネクタ内部への浸水を防止したワイヤーハーネスを得る。【解決手段】この発明に係るワイヤーハーネスは、芯線８がチューブで被覆されたリード線２と、このリード線２の一端部に設けられた端子と、リード線２の他端部に設けられたコネクタとを備えたワイヤーハーネスにおいて、リード線２の中間部でチューブが除かれ芯線８が露出した露出部位Ｂでは、芯線８に浸透した樹脂１２で覆われている。【選択図】図２
2008311183.tif 000002
【特許請求の範囲】
【請求項１】
芯線がチューブで被覆されたリード線と、このリード線の一端部に設けられた端子と、前記リード線の他端部に設けられたコネクタとを備えたワイヤーハーネスにおいて、
前記リード線の中間部で前記チューブが除かれ前記芯線が露出した露出部位では、前記芯線に浸透した樹脂で覆われていることを特徴とするワイヤーハーネス。
【請求項２】
前記樹脂は、前記露出部位を収納したケース内に充填されていることを特徴とする請求項１に記載のワイヤーハーネス。
【請求項３】
前記ケース内には、複数本の前記リード線の各前記露出部位が収納されていることを特徴とする請求項１または２に記載のワイヤーハーネス。
【請求項４】
前記コネクタは、エンジン制御用ユニットに接続されることを特徴とする請求項１〜３の何れか１項に記載のワイヤーハーネス。
【発明の詳細な説明】
【技術分野】
【０００１】
この発明は、芯線がチューブで被覆されたリード線と、このリード線の一端部に設けられた端子と、前記リード線の他端部に設けられたコネクタとを備えたワイヤーハーネスに関する。
【背景技術】
【０００２】
従来、芯線がチューブで被覆されたリード線と、このリード線の一端部に設けられた端子と、前記リード線の他端部に設けられた防水コネクタとを備え、リード線の一端部で芯線を露出させ、この露出した芯線露出部位に前記端子を取り付けたワイヤーハーネスが知られている（例えば特許文献１参照）。
【０００３】
【特許文献１】特開平１１−５５８２３号公報
【発明の開示】
【発明が解決しようとする課題】
【０００４】
このものの場合、例えばエンジン制御用ユニットにコネクタを接続されたときにコネクタの内部に入った空気は、コネクタの温度変化によって膨張と収縮とを繰り返した場合、リード線を通じてリード線の一端部の芯線露出部位から呼吸を行うことになる。
そして、端子に水分が付着していた場合、この呼吸作用により、端子に付着した水分は芯線の内部に吸引される。
芯線の内部に吸引された水分は、引き続き芯線の毛細管現象によって、芯線に沿ってコネクタまで到達し、この水分に起因してコネクタ内部のターミナルが腐食するという問題点があった。
また、コネクタ内部で端子間が短絡してしまい、機能不良になる恐れがあるという問題点もあった。
【０００５】
この発明は、上記のような問題点を解決することを課題とするものであって、呼吸作用及び毛細管現象によるコネクタ内部への浸水を防止したワイヤーハーネスを得るものである。
【課題を解決するための手段】
【０００６】
この発明に係るワイヤーハーネスは、芯線がチューブで被覆されたリード線と、このリード線の一端部に設けられた端子と、前記リード線の他端部に設けられたコネクタとを備えたワイヤーハーネスにおいて、前記リード線の中間部で前記チューブが除かれ前記芯線が露出した露出部位では、前記芯線に浸透した樹脂で覆われている。
【発明の効果】
【０００７】
この発明に係るワイヤーハーネスによれば、呼吸作用及び毛細管現象によるコネクタ内部への浸水を防止することができる。
【発明を実施するための最良の形態】
【０００８】
実施の形態１．
以下、この発明の実施の形態について図に基づいて説明するが、各図において同一または相当部材、部位については同一符号を付して説明する。
図１はこの発明の実施の形態１のワイヤーハーネスを示す正面図、図２図１に示したケース１０の断面図である。
このワイヤーハーネスでは、芯線８がチューブ１１で被覆されたリード線２の一端部の、芯線８が露出した露出部位Ａには、リング状の端子７が取り付けられている。リード線２の他端部には、電気ユニットであるエンジン制御用ユニット１に設けられた雌側コネクタ５に挿入される雄側コネクタ４が設けられている。リード線２の中間部には、芯線８を覆った樹脂１２を収納したケース１０が設けられている。
【０００９】
このワイヤーハーネスでは、図３に示すように、リード線２の中間部でチューブ１１を剥がすことで芯線８を露出した後、この芯線８の露出部位ＢをＶの字形状に折曲してケース１０内に収納する。この後、このケース１０内に、芯線８内に浸透する樹脂１２を充填し、硬化させることで、芯線８の露出部位Ｂは樹脂１２で強固に覆われている。
この樹脂１２としては、例えば注型用ウレタンＳＵ−３６００（サンユレック社製）が用いられる。
【００１０】
このワイヤーハーネスによれば、リード線２の途中では芯線８の露出部位Ｂが樹脂１２で覆われ、この樹脂１２で芯線８に沿った空気の移動を遮断している。そのため、コネクタ４，５の内部に入った空気に起因する、芯線８の先端部の露出部位Ａでの呼吸作用は生じない。
また、端子７に付着した水分が毛細管現象により、芯線８に沿って雄側コネクタ４側に移動しても、その移動は、樹脂１２で遮断される。
従って、芯線８の露出部位Ａでの呼吸作用、芯線８の毛細管現象によって、コネクタ４，５の内部まで水分が到達し、この水分に起因してコネクタ４，５内部のターミナルが腐食する事態、及びコネクタ４，５内部の端子間が短絡する事態を防止することができる。
【００１１】
また、芯線８の露出部位Ｂは樹脂１２で完全に覆われているので、その露出部位Ｂの水分の付着による劣化も生じない。
また、リード線２は切断されず、チューブ１１のみを剥がしているので、リード線２を切断して切断両端部のチューブ１１を剥がし、切断した芯線８同士を再接続することで発生する接続不良の恐れも無い。
【００１２】
なお、上記実施の形態では、一本のリード線２の芯線８の露出部位Ｂの全体を樹脂１２で覆った場合について説明したが、ケース１０の開口部の面積、体積を大きくすることで、複数本のリード線２の各露出部位Ｂを同一のケース１０内に収納するようにしてもよい。
また、上記実施の形態のワイヤーハーネスは、エンジン制御用ユニット以外の電気ユニットにも適用できるのは勿論である。
【図面の簡単な説明】
【００１３】
【図１】この発明の実施の形態１のワイヤーハーネスを示す正面図である。
【図２】図１のケースの断面図である。
【図３】図１のリード線のチューブが剥がれた状態を示す図である。
【符号の説明】
【００１４】
１  エンジン制御用ユニット、２  リード線、７  端子、８  芯線、１０  ケース、１１  チューブ、１２  樹脂、Ａ，Ｂ  露出部位。
【図１】
2008311183.tif 000003
【図２】
2008311183.tif 000004
【図３】
2008311183.tif 000005
(57)【要約】【課題】盗撮カメラが仕掛けられているかを自動的に探査して、仕掛けられていれば、ランプやブザーで知らせることができるものであり、無人での監視ができる盗撮カメラ自動監視機を提供する。【解決手段】タイマー装置８で一定時間ごとに受信装置３を起動し、盗撮カメラ１から送信している電波２を受信装置３で受信する。出力装置５からの信号を制御装置６内のドライブ装置７を介して、ランプ９やブザー１０を作動させて通知することを特徴とする盗撮カメラ自動監視機である。【選択図】図１
2008071326.tif 000002
【特許請求の範囲】
【請求項１】
制御装置に受信装置を一定時間ごとに起動できるタイマー装置を設け、盗撮カメラから発信される電波を受信する受信装置を有し、その受信装置内に盗撮カメラで捉えている映像を映し出す映像装置を設け、電波を受信したことを制御装置に通知する出力装置を有し、出力装置からの信号を制御装置内に設けたドライブ装置を介してランプやブザーで通知できるようにしたことを特徴とする盗撮カメラ自動監視機。
【発明の詳細な説明】
【技術分野】
【０００１】  本発明は、盗撮カメラが仕掛けられているかを自動的に探査し、仕掛けられている場合は、ランプやブザー知らせることができるものであり、２４時間の監視が自動で可能な盗撮カメラ自動監視機に関するものである。
【背景技術】
【０００２】  従来、無線式の盗撮カメラが仕掛けられているかを受信機を人が操作して探査し、仕掛けられている場合は、受信機に映像が出たりアラームが鳴ったりして、受信機を操作している人に知らせるものであった。
また、盗聴器と盗撮カメラから出ている両方の盗聴波を自動受信するものであった。【０００３】
【特許文献１】  特開２００５−１４９４６０号公報
【発明の開示】
【発明が解決しようとする課題】
【０００４】  そのために、次のような問題点があった。
（イ）受信機を人が操作するために、２４時間の監視が不可能であった。
（ロ）盗聴器と盗撮カメラ両方の盗聴波では、盗聴波の種類が非常に多く、自動判断するのが難しいため非常に高価であった。
本発明は、これらの問題点を解決するためになされたものである。
【課題を解決するための手段】
【０００５】  本発明は、制御装置６に設けたタイマー装置８で一定時間ごとに受信装置３を起動させ、盗撮カメラ１から送信している電波２を受信装置３で受信し、受信装置３内に設けた映像装置４で盗撮カメラ１がとらえている映像を映し出す。出力装置５からの信号を制御装置６内のドライブ装置７を介して、ランプ９やブザー１０を作動させて通知する。以上を特徴とする盗撮カメラ自動監視機である。
【発明の効果】
【０００６】  受信装置を人が操作する必要が無く、無人で２４時間の自動監視ができる。【０００７】  また、タイマー装置で受信装置を一定時間ごとに起動させるので、受信装置を常時稼動させて走査する必要が無く、電気代の節約及び受信装置の寿命を長くすることができ、省エネになる。
【発明を実施するための最良の形態】
【０００８】  以下、本発明の実施形態について説明する。
（イ）制御装置６の内部にタイマー装置８を設け、一定時間ごとに受信装置３を起動させる。
（ロ）盗撮カメラ１からの電波２を受信する受信装置３を設け、受信装置３を起動させて、走査し電波２を探査する。
（ハ）受信装置３内に設けた映像装置４で盗撮カメラ１が捉えている映像を映し出す。
（ニ）受信装置３で、電波２をとらえたことを知らせる出力装置５を設け、制御装置６に信号を送る。
（ホ）出力装置５からの信号を制御装置６内のドライブ装置７を介して、ランプ９やブザー１０を作動させて通知する。【０００９】  本発明は、以上のような構成でこれを使用するときは、制御装置６の内部にタイマー装置８で一定時間ごとに受信装置３を起動させる。【００１０】  受信装置３は、電波２の走査を開始し、盗撮カメラ１からの電波２を受信する。受信装置３は、一般に出回っている電波式の小型カメラの周波数が９００ＭＨｚ帯と１２００ＭＨｚ帯と２４００ＭＨｚ帯を受信できるものにする。【００１１】  また、電波２を受信しなかった時は、走査時間をタイマー装置８で設定しておき、一定時間が経過したら受信装置３を切り、待機できるようにし一定時間が経過したら受信装置３が起動できるようにする。【００１２】  受信装置３が電波２を受信したら、受信装置３内に設けた映像装置４で盗撮カメラ１がとらえている映像を映し出す。また、出力装置５に通知し、出力装置５は、制御装置６に通知する。【００１３】  出力装置５からの信号を制御装置６内のドライブ装置７を介して、ランプ９やブザー１０を作動させて通知する。また、ランプ９はＬＥＤを複数個フラッシングしてもよい。
【実施例】
【００１４】  図２に示すように、女子トイレに、盗撮カメラ１が仕掛けられた場合のものである。
【図面の簡単な説明】
【００１５】
【図１】本発明の構成ブロック図
【図２】本発明の実施例
【符号の説明】
【００１６】    １  盗撮カメラ
２  電波
３  受信装置
４  映像装置
５  出力装置
６  制御装置
７  ドライブ装置
８  タイマー装置
９  ランプ
１０  ブザー
１１  自動監視機
１２  コンセント
【図１】
2008071326.tif 000003
【図２】
2008071326.tif 000004
(57)【要約】【課題】  文章構造を図式で表す方法とその図式を記号化する方法を提示する。さらにコンピュータで図式を入出力するソフトウェアを提示する。【解決手段】  文章構造を四角形、矢印、円、直線を組み合わせて表現する。名詞を四角形で表し、動詞を矢印で表す。副詞を丸で表し、矢印上に位置させる。並置、同格の文を直線で繋ぐ。  図式を数字（０〜９）と記号（＊−＞＜＝／）を用いて、記号化する。（以下、図式記号化データ）図式記号化データをコンピュータで入力し、図式を出力するソフトウェアによる。【選択図】図１
2008071329.tif 000002
【特許請求の範囲】
【請求項１】
文章構造を図式で表す方法であって、四角形、矢印、円、直線を組み合わせて表現する。名詞の役割を果たす語句（形容詞の役割を果たす語句を含むことがある）を四角形で表し、動詞を矢印で表す。副詞の役割を果たす語句を円で表し、矢印上に位置させる。並置、同格の文を直線で繋ぐ。矢印は能動的か受動的かで方向を逆にする。能動的な場合、語順に従い右に向ける。文の終りを表す記号（日本語の『。』英語の『．！？』に相当）に合わせて、図式も区切る。
【請求項２】
請求項１の記号化の方法であって、図式を数字（０〜９）と記号（＊−＞＜＝／）を用いて、記号化する。（以下、図式記号化データ）
図式記号化データは、四角形の個数を数字で表す。Ｘ＊Ｙの形式とし、Ｘは横方向、Ｙは縦方向の個数とする。縦方向個数が１の場合、Ｘ、横方向個数が１の場合、＊Ｙと省略して表すことを可とする。矢印を『−＞』『＜−』で、直線を『＝』で表す。円の個数を矢印の『＞』か『＜』と『−』の間に数字で表す。円がない場合の０は省略可とする。図式の復帰改行を『／』で表す。
【請求項３】
請求項２の図式記号化データをコンピュータのハードウェアで入力し、図式として出力するソフトウェアであって、データは図式記号化データであり、プログラムは、図式記号化データ受付処理、記号化データ展開処理で構成する。図式記号化データ受付処理は、キーボード入力を受け付ける。記号化データ展開処理は、図式記号化データを図式に変換出力する。
【発明の詳細な説明】
【技術分野】
【０００１】  国語、および外国語学習の分野であり、単語や文法を学習する過程で補助となるユーザ・インターフェイスに関する。
【背景技術】
【０００２】  『文章図式化ツール』として、構文解析後、ブロック図、フローチャートを生成する方法が提示されている。特開２００４−９４９４０（Ｐ２００４−９４９４０Ａ）【０００３】  『ＵＭＬ設計方法』として、ＵＭＬ記法でのＧＵＩ（グラフィカル・ユーザ・インターフェイス）機能を含む、設計システムが提示されている。
特開２００５−３２７０９４（Ｐ２００５−３２７０９４Ａ）
【特許文献１】  特開２００４−９４９４０（Ｐ２００４−９４９４０Ａ）
【特許文献２】  特開２００５−３２７０９４（Ｐ２００５−３２７０９４Ａ）
【発明の開示】
【発明が解決しようとする課題】
【０００４】  文章構造を図式で表す方法とその図式を記号化する方法を提示する。さらにコンピュータで図式を入出力するソフトウェアを提示する。
【課題を解決するための手段】
【０００５】  文章構造を四角形、矢印、円、直線を組み合わせて表現する。【０００６】  名詞の役割を果たす語句（形容詞の役割を果たす語句を含むことがある）を四角形で表し、動詞を矢印で表す。副詞の役割を果たす語句を円で表し、矢印上に位置させる。
並置、同格の文を直線で繋ぐ。【０００７】  矢印は能動的か受動的かで方向を逆にする。能動的な場合、語順に従い右に向ける。【０００８】  文の終りを表す記号（日本語の『。』英語の『．！？』に相当）に合わせて、図式も区切る。【０００９】  図式を数字（０〜９）と記号（＊−＞＜＝／）を用いて、記号化する。（以下、図式記号化データ）【００１０】  図式記号化データは、四角形の個数を数字で表す。Ｘ＊Ｙの形式とし、Ｘは横方向、Ｙは縦方向の個数とする。縦方向個数が１の場合、Ｘ、横方向個数が１の場合、＊Ｙと省略して表すことを可とする。【００１１】  図式記号化データは、矢印を『−＞』『＜−』で、直線を『＝』で表す。【００１２】  図式記号化データは、円の個数を矢印の『＞』か『＜』と『−』の間に数字で表す。円がない場合の０は省略可とする。【００１３】  図式記号化データは、図式の復帰改行を『／』で表す。
【発明の効果】
【００１４】  国語や外国語学習教材のユーザ・インターフェイス部に補助として採用できる。
読み方学習において、文章テキストと図式記号化データを保存することで学習量を記録できる。
【発明を実施するための最良の形態】
【００１５】  構成要素は、コンピュータのハードウェアとソフトウェアである。ソフトウェアはデータとプログラムで構成する。【００１６】  データは文章テキスト、図式記号化データで構成する。両方を合わせて、学習記録データとする。【００１７】  プログラムは、文章テキスト受付処理、図式記号化データ受付処理、記号化データ展開処理、学習記録データ保存処理で構成する。【００１８】  文章テキスト受付処理は、カット・アンド・ペースト機能のペースト機能で文章テキストを受け付ける。【００１９】  図式記号化データ受付処理は、キーボード入力を受け付ける。【００２０】  記号化データ展開処理は、図式記号化データを図式に変換出力する。【００２１】  学習記録データ保存処理は、学習記録データをファイルに書き出しする。
【図面の簡単な説明】
【００２２】
【図１】  図式の凡例。
【図２】  典型的なコンピュータのハードウェア構成。
【図３】  学習記録データの構造の例。
【図４】  記号化データ展開処理のプログラム・フローチャート（１／３）
【図５】  記号化データ展開処理のプログラム・フローチャート（２／３）
【図６】  記号化データ展開処理のプログラム・フローチャート（３／３）
【図７】  図式入出力プログラムの実行例。
【符号の説明】
【００２３】  １０図式の凡例。
２０プログラム、処理データ保持部、２１演算部、２２入力部、２３出力部、２４データ・プログラム保存部。
３０学習記録データの構造の例、３１図式記号化データ、３２図式記号化データと文章テキストを区別する印、３３文章テキスト。
４０ページ外接続子、４１、４２ページ内接続子、４３から６６識別子。
７０、７１ページ外接続子、７２ページ内接続子、７３から９３識別子。
１００から１１６識別子、１２０から１２８識別子、１３０から１３７識別子。
１４０図式入出力プログラムの実行例、１４１文章テキスト入力領域、
１４２図式記号化データ、１４３記号化データ展開処理の起動ボタン、
１４４図式出力領域、１４５学習記録データ保存処理の起動ボタン。
【図１】
2008071329.tif 000003
【図２】
2008071329.tif 000004
【図３】
2008071329.tif 000005
【図４】
2008071329.tif 000006
【図５】
2008071329.tif 000007
【図６】
2008071329.tif 000008
【図７】
2008071329.tif 000009
(57)【要約】【課題】日本人又は外国人が日本国内でレンタカーを借りる場合に雪道の問題、高齢化の問題、運転経験など様々な問題で自分で車を運転する事が困難な場合がある【解決手段】レンタカーを運転代行する事により運転が出来ない又はしたくない方でも自由に行動出来ます、今までなかった需要がこのシステムにより増えます。レンタカーの借りる需要が多くなる、今までになかった新しい観光パターンの実施【選択図】図１
2008071325.tif 000002
【特許請求の範囲】
【請求項１】
レンタカーの運転を代行
【請求項２】
ＷＥＢ人材予約管理システム
【発明の詳細な説明】
【技術分野】
【０００１】ＷＥＢデータベースにより人材登録・人材空き状況を把握する
【背景技術】
【０００２】ＷＥＢデータベースにより申し込みと管理がスムーズに行える
【発明の開示】
【発明が解決しようとする課題】
【０００３】現代は車社会といわれる様に  車は私たちの生活にも無くてはならないアイテムの一つになっています又多くの人がレンタカーを借りて  観光・など色々な用途で使用している中  旅行会社においてはレンタカープランがやはり人気の商品に上げられるのが状況です  観光と言う一つのカテゴリーを見ても車との係は  やはりは必要不可欠です  バスツアー  レンタカープラン  観光タクシープラン  一般のタクシー  とその様な中でも、自分で行きたい場所へ自由に移動できるのは、観光タクシーや  一般のタクシーそしてその中でもレンタカーが最も良く使われているでしょう  何故ならばその費用を考えると  やはり観光タクシー・普通のタクシーはかなり高額な料金が掛かる為  一般のお客様はやはりレンタカーを選ぶ方が必然的だからです  又レンタカーには  好きな車を選べると言う大きな利点が有ります  家族での利用時などは人数により車種を変える事が出来る  又普段乗る事の出来ない高級車を選ぶ事も  そして借りる時間を選ぶ事も  この様にお客様の細かな要望にも対応ができると言うメリットが、多くの方に指示される理由で有るはずです  最近では外国からのお客様も  香港  韓国  シンガポールからとレンタカープランでの観光がにわかに増え続けています。
しかしその反面多くの問題を抱えている事も事実なのです  北海道と言う地域性から見ても、大きな問題が浮かび上がってくるのが現状の一つです  この様なお客様の  意見と問題を検証して見る事にしましょう
意見・問題
外国人旅行者・日本人旅行者からの意見と問題
１．少ない時間で自由にレンタカー観光をしたいが免許を持っていない（台湾人など）台湾では現在日本に対しての国際免許の発行が出来ない状況に有る為  現在の北海道において来道外国人のもっとも多いのが台湾からお客様で約２８万人のお客様が訪れています
２．３・４時間で観光や買い物・食事などを楽しみたい  観光タクシーはコースが決まっているし値段が高い
言葉が通じない  タクシーは言葉が通じない＆やはり料金が高い
３．レンタカーを借りたいがナビゲーションシステムが自国の言葉での対応ができていない英語などは一部分の対応にしかなっていない
４．セルフのガソリンスタンドで給油することが出来ない（言葉・印字表示の問題）実際あるレンタカー会社で起きた事件では  香港から来たお客様がセルフのガソリンスタンドで（車が動かなくなった）と連絡が入り急いで駆けつけると  お客様はレギュラーガソリンと軽油を間違  えて給油し車が動かなくなった件  この件に関しては後処理にかなりの金額が掛かりました  が  お客様への請求の問題も発生したとの事です
５．事故が起きた場合  言葉の問題が大きく  保険会社  レンタカー会社でもこの問題が非常に大きく上げられているとの事
６．北海道地域性から冬道の問題  この問題は外国人のみならず  北海道以外の雪の降らない地域のお客様全てにあてはまる件です  やはり冬道でのドライビングは経験者でなければ  非常に危険だからです
７．言葉の問題  保険の問題
レンタカー会社は英語での対応がやっとの対応  繁体語・簡体語の対応はできない
保険会社でも事故発生時  英語を話す人材は何とか  しかし繁体・簡体語に対応できないのが現状です
８．高齢化の問題  この問題は主に日本人がこれからの  高齢化社会で直面する問題です運転をしたいが反射神経  視力低下  その他色々な身体的老化により  運転に支障をきたす恐れが有る為  運転が出来ないが  レンタカーで色々な所に行って見たいと言う希望
【課題を解決するための課題】
【０００４】１．細かな時間に対応できる事  旅行商品にする事により  ２．３．４．５．〜１２．２４  時間と細かなニーズ対応できる商品化が可能になります
２．上記問題３．のナビげージョンの問題も日本人が運転する事により解決
３．問題４．も日本人ドライバーにより解決
４．問題５．７．は重要なポイントでもし事故が起きた時  対応は日本人による対応が最もベストと思われます  この言葉の問題は繁体語に関して  ドライバーが車に携帯電話を持ち込みいざと言う時は事務所に電話  繁体語の通訳が対応致します
５．問題６．はやはり冬道の運転経験が有るドライバーが一番なはずです
６．問題８．に関してもレンタカー代行業務が便利です  細かな時間で行きたい場所へ自由に料金もリーズナブルに
以上の結果から考えてもレンタカー代行業務の必要性が十分有ると検証されるはずです。
【発明の効果】
【０００５】レンタカーを運転代行する事により今までなかった需要がこのシステムにより増えますレンタカーの借りる需要が多くなる、今までになかった新しい観光パターンの実施
【発明を実施する為の最良の形態】
【０００６】発明の概要は図１に示されるように現状の申し込み・予約状況・人材管理・地域別の人材空き状況など▲１▼申込者▲２▼弊社▲３▼手配業者がデータベースにより一括管理できる
【図面の簡単な説明】
【０００７】
【図１】ＷＥＢデータベースをつかった、レンタカー運転予約システム
【符号の説明】
【０００８】▲１▼  個人申し込み者・旅行会社等の業者
▲２▼  データベース・ホームページ
▲３▼  綜合管理会社
▲４▼  人材登録・手配業者
【図１】
2008071325.tif 000003
(57)【要約】【課題】従来型の基本ソフトのダイアログボックスは表示が平面的で見にくく、又、認識しにくかった。【解決手段】従来型の基本ソフトでも画面の他のどのウィンドウよりも手前に表示される事になっていて認識されやすかったダイアログボックスをパーソナルコンピュータのハードウエアに３次元表示を出力できるグラフィックス機能を備え付けた上で従来型の表示のままさらに３次元グラフィックス技術を用いて３次元表示にプログラムする。【選択図】図１
2008071323.tif 000002
【特許請求の範囲】
【請求項１】
マイクロソフト社の「Ｗｉｎｄｏｗｓ」やアップルコンピュータ社の「Ｍａｃ  ＯＳ」といった基本ソフトの画面内で他のどのウィンドウよりも手前に表示されることになっているダイアログボックスをパーソナルコンピュータのハードウエアに３次元表示を出力出来るグラフィックス機能を備え付けた上で従来型の表示のまま３次元グラフィックス技術を用いてさらに３次元表示にプログラムした基本ソフトのダイアログボックス。
【発明の詳細な説明】
【技術分野】
【０００１】コンピュータのユーザインタフェース機能に関する
【背景技術】
【０００２】コンピュータの出力技術には３次元グラフィックスという技術がある
【特許文献】
【特許文献】
【非特許文献】
【発明の開示】
【発明が解決しようとする課題】
【０００３】従来型の基本ソフトのダイアログボックスは表示が平面的で見にくく、又、認識しにくかった。【０００４】本発明は従来型の基本ソフトの有していたこのような問題を解決しようとするものであり、ダイアログボックスの表示を変更する事により、より視覚的で操作しやすい基本ソフトを実現することを目的とする物である。
【課題を解決するための手段】
【０００５】従来型の基本ソフトでも画面の他のどのウィンドウよりも手前に表示される事になっていて認識されやすかったダイアログボックスをパーソナルコンピュータのハードウエアに３次元表示を出力できるグラフィックス機能を備え付けた上で従来型の表示のまま３次元グラフィックス技術を用いてさらに３次元表示にプログラムする。
【発明の効果】
【０００６】基本ソフトのダイアログボックスを従来型の表示のままさらに３次元表示にするとより視覚的に見やすく、又、認識しやすくなる。
【発明を実施するための最良の形態】
【０００７】従来型の基本ソフトでも画面の他のどのウィンドウよりも手前に表示される事になっていて認識されやすかったダイアログボックスをパーソナルコンピュータのハードウエアに３次元表示を出力できるグラフィックス機能を備え付けた上で従来型の表示のままさらに３次元グラフィックス技術を用いて３次元表示にプログラムする。
【図面の簡単な説明】
【０００８】
【図１】従来型の表示のままさらに３次元表示にされた基本ソフトのダイアログボックスを映し出したディスプレイ
【符号の説明】
【０００９】１  ディスプレイ
２  パーソナルコンピュータの画面
３  従来型の表示のままさらに３次元表示にされた基本ソフトのダイアログボックス
【図１】
2008071323.tif 000003
(57)【要約】【課題】    この発明は、防犯ブザーの非常時の扱い易さの向上と、防犯効果、周囲への認知度を上げ、その効果を高めるものである。【解決手段】    構成としては、単独で発音できるブザーＡ（固定部分）、ブザーＢ（投げる部分）を用意し、それらを２つ組み合わせた状態では双方のスイッチが切れ、引き離した状態では双方のスイッチが入るようにする。【選択図】図１
2008071331.tif 000002
【特許請求の範囲】
【請求項１】
それぞれ独自に発音できるブザーＡ、ブザーＢが、組み合わさって一体となる構造を持ち、ブザーＡ、ブザーＢが分離することにより、双方とも発音するように構成された防犯ブザー。
【発明の詳細な説明】
【産業上の利用分野】
【０００１】  この発明は、防犯ブザーの使い勝手と防犯効果を高めたものである。
【背景技術】
【０００２】  近年、登下校途中の小学生、女性などを襲う事件が多発している。その対策のひとつとして、防犯ブザーの携帯がある。
従来の防犯ブザーの基本的な構造としては、
１）  電気式のものは、電池とブザーで構成され、回路の一部を遮断するピンを抜くことによりスイッチが入り、発音する。
２）  加圧ガスを用いたものは、ピンを抜く事により加圧されたガスが噴出し、その通り道にある笛に作用し、発音する。
というものである。
一般的な使用法としては、防犯ブザーをランドセルや鞄に取り付けておき、危険な状態に陥ったら、スイッチとなるピンを抜き発音させ、危険を周囲に知らせ、救助を求めるというものであった。
【発明が解決しようとする課題点】
【０００３】  課題点としては、以下の３点があげられる。
１）学童においては、防犯ブザーを鞄、ランドセルに取り付けて使う事が多いが、緊急時に素早くピンを引きぬけないことが多い。特に小学生においては、ランドセル本体に取り付ける事が多く、そのため後ろ手でひもを手探りすることになり、即座に引けないことが多い。
２）防犯ブザーのスイッチは、ピンを引き抜く仕組みが多く、暴漢が即座に停止させる事はむずかしい。しかし、電気式の防犯ブザーでは、取り上げて踏むなどして破壊し停止させることはたやすい。
３）昨今では、自動車により連れ去る事件が多い。その際は、防犯ブザーごと被害者が連れ去られるので、周囲に危険を知らせることができない。その場合は、帰宅が遅い等で異常に気づいた場合、対策が遅れることになる。
【課題を解決するための手段】
【０００４】  構成としては、単独で発音できるブザーＡ、ブザーＢの２つを用意し、それらを２つ組み合わせた状態では双方のスイッチが切れ、引き離した状態で双方のスイッチが入り発音するようにする。
もっとも簡単で確実なのは、ブザーＡ、ブザーＢの接合面に、従来の引き抜くピンに相当する突起と、その突起に対応する位置にスイッチとなる電極を設けることである（［図  １］）。
ブザーＡ、ブザーＢが組合わさった状態では、３のピンが４のピン穴を通り５のバネを押上げ、それにより６の電線を一部とした電器回路を遮断している。一方、分離すると、５のバネは戻り、回路は通電し、ブザーは発音する。これがブザーＡ、ブザーＢ双方で起こり、即ち分離する事が双方のスイッチとなる（［図  ２］）。
以上は、現在の防犯ブザーで良く用いられているスイッチのひとつの応用であるが、スイッチそのものは他にも各種考えられる。
また、ブザーＡは、鞄などに固定出来る形状とし、一方のブザーＢは手に取りやすく、投げやすい形状にする。また、ブザーＢは落下時の衝撃で壊れないように、ウレタンなどの緩衝材で覆っておくと良い。
【実施例および作用、効果】
【０００５】  実施例としては、以下のとおりである。
通常時は、ブザーＡの固定具で鞄やベルトなどに固定しておく。または、紐で首にかけても良い。小学生においては、ランドセルの肩ベルトの胸の位置が望ましい。
暴漢に襲われ危険を感じたら、ブザーＢをつかんで、暴漢より遠くに投げる。すると、被害者の持つブザーＡ、投げられたブザーＢ双方が発音するため、暴漢を混乱させる事ができる。さらに警報音量も倍となり、より救援を呼びやすい。
また、暴漢がブザーＢを止めようと追いかければ、被害者には逃げる機会ができ、一方のブザーＡを止めてもブザーＢは発音し続けるため、周囲に危険を知らせることができる。
【０００６】  一方、暴漢が被害者をブザーＡごと車で連れ去っても、ブザーＢは事件現場に残り、さらにブザーＢに所有者の記名をしておけば、所有者に異常が起きた事がわかり、保護者、警察などによるよる迅速な対応が可能となる。
また、ブザーＢには発音と同時にスイッチが入る時計を設けておけば、異常が発生した正確な時刻、時間か分かる。
また、ブザーＢは、発音と同時に高輝度ＬＥＤなどで発光するようにしておけば、音とともに光で周囲に注意を喚起できるため、ブザーＢの発見を容易にし、夜間や暗がりで異常事態が発生した場合に特に有効である。
【０００７】  なお、ブザーＢは、ピンのひもにくらべ適度な大きさがあるため、手探りでも所在はわかりやすく、投げるという動作も日常良く行う動作であるため、とっさの時、小さい子供にも実行しやすい。
小学生においては、ランドセルの背負いベルトの胸のあたりに固定しておけば、即座に投げることができる。
また、従来の防犯ブザーは通常時は邪魔なため小型にする傾向があるが、これはその用途からある程度の大きさを持つ。その大きさゆえに、名札、時計、あるいはキャラクターを模したマスコットにするなどして別の働きを持たせることが可能である。
また、ピンをブザー本体に設けず従来の様にひもに付け、そのひもとピンでブザー双方を繋ぐなど、様々なデザインが可能である。
【０００８】  ほかには、本発明は従来の防犯ブザーと同じくが構造が簡単なため、製造コストは低く、手軽に求める事ができ、広く普及させることが可能である。都市部では、ＧＰＳなどを内蔵したり電波やインターネットを利用するなど、様々な高度な防犯機器が考案・実施されているが、人口が希薄な地方においては、旧来の防犯ブザーの発展型である本発明品は、依然として有効な発明であると思われる。
【図面の簡単な説明】
【０００９】
【図１】  本発明の斜視図
【図２】  本発明のスイッチ部の断面図
【符号の説明】
【００１０】  １  は、ブザーＡ
２  は、ブザーＢ
３  は、ピン
４  は、ピン穴
５  は、バネ
６  は、電線
７  は、固定具
【図１】
2008071331.tif 000003
【図２】
2008071331.tif 000004
(57)【要約】【課題】超伝導接合の製造方法において、高温超伝導薄膜を、希土類常伝導相を含む三層構造薄膜にする。そして、三層構造薄膜を部分溶融することより相分離させ、超伝導薄膜に常伝導層を形成し接合を作製する。【解決手段】常伝導/超伝導/常伝導の三層構造薄膜を堆積する。エッチング等により傾斜を持つようにパターニングする。超伝導薄膜を部分溶融し、常伝導層を形成する。エッチングにより常伝導層の厚さを制御する。超伝導薄膜を堆積し上部電極とする。【選択図】図４
2008071804.tif 000002
【特許請求の範囲】
【請求項１】
希土類酸化物高温超伝導薄膜（RE１２３）において、希土類常伝導薄膜（RE２１１）を層状にRE１２３内に相分離させて製造したことを特徴とする超伝導接合素子の製造方法。
【請求項２】
イットリウム酸化物高温超伝導薄膜（Y１２３）において、イットリウム常伝導薄膜（Y２１１）を層状にY１２３内に相分離させて製造したことを特徴とする超伝導接合素子の製造方法。
【発明の詳細な説明】
【技術分野】
【０００１】
本発明は、高温超伝導体において、液相拡散法の相分離を利用した超伝導接合素子及びその製造方法に関するものである。
【背景技術】
【０００２】
近年、高感度の磁束計や高速・低消費電力の集積回路を目指し、様々な超伝導接合が作製されている。
しかし超伝導接合の製作には高度の加工技術が要求され、これが普及遅延の原因になっている。
【特許文献１】特開２００１−２７４４７１号公報
【発明の開示】
【発明が解決しようとする課題】
【０００３】
本発明は上記目的を解決するため、超伝導接合の製造方法において、高温超伝導薄膜を、希土類常伝導相を含む三層構造薄膜にする。そして、三層構造薄膜を部分溶融することより相分離させ、超伝導薄膜に常伝導層を形成し接合を作製する。
【課題を解決するための手段】
【０００４】
常伝導/超伝導/常伝導の三層構造薄膜を堆積する。エッチング等により傾斜を持つようにパターニングする。超伝導薄膜を部分溶融し、常伝導層を形成する。エッチングにより常伝導層の厚さを制御する。超伝導薄膜を堆積し上部電極とする。
【発明の効果】
【０００５】
脳から発生している微小磁束などを、本センサーで検出することや、高速・低消費電力の集積回路用素子となる。
【実施例】
【０００６】
【０００７】
次いで、本実施形態による超伝導接合素子の製造方法について図1から図4を用いて説明する。
【０００８】
まず、図１のように、ＭｇＯ基板上（1）に、例えばスパッタ法により、膜厚約１００ｎｍのＧｄ２１１（2）膜、膜厚約２００ｎｍのＹ１２３膜（3）、膜厚約１００ｎｍのＧｄ２１１（2）膜を連続堆積する。
【０００９】
次いで、Ｇｄ２１１（2）膜上に、通常のリソグラフィー技術によりレジストパターンを形成する。
【００１０】
次いで、レジストパターンをマスクとして、例えば燐酸水溶液かＡｒイオンミリングにより、Ｇｄ２１１（2）膜、Ｙ１２３膜（3）及びＧｄ２１１（2）膜を傾斜４５°でエッチングする。
【００１１】
次いで、レジストパターンを除去した後、部分溶融温度まで基板加熱し、Ｙ１２３膜（3）表面にＹ２１１（4）と液相を相分離させる。
【００１２】
このとき、Ｙ１２３より相分離した液相は包昌反応により、図２のように、Ｇｄ２１１（2）とＹ２１１（4）に接している面にＧｄ１２３（5）が形成される。
【００１３】
次いで、図３のように上部Ｙ１２３（3）膜を堆積する前処理として、例えばＥＣＲプラズマによるクリーニングを行い、Ｙ１２３膜表面のＹ２１１膜厚（4）を制御する。
【００１４】
このクリーニング処理により、ＹＢＣＯ膜のエッジには、Ｙ２１１膜厚（4）が制御できる。
【００１５】
なお、本実施形態による超伝導接合素子の製造方法では、Ｙ１２３膜のエッジに形成されるバリア層の膜厚は、Ｙ２１１膜の膜厚に依存する。したがって、Ｙ２１１膜の膜厚を予め部分溶融時間で制御しておくことで、所望の厚さのバリア層を形成することができる（図３）。
【００１６】
次いで、例えばレーザーアブレーション法により、図３のように膜厚２００ｎｍのＹ１２３（3）膜を堆積してパターニングし、Ｙ１２３（3）よりなる超伝導層を形成する（図４）。
【００１７】
このようにして、超伝導層Ｙ１２３より延在するバリア層Ｙ２１１を介して超伝導層Ｙ１２３（3）が接合された平面型ジョセフソン接合を有する超伝導接合素子を形成する。
【００１８】
このように、本実施形態によれば、超伝導層と超伝導層との間に形成されるバリア層の膜厚を、Ｙ２１１膜の膜厚により制御するので、バリア層の厚さが均一な接合を形成することができる。これにより、素子のばらつきを抑えることができる。
【００１９】
なお、上記実施形態では、接合部の傾斜角度を４５°とした平面型ジョセフソン接合を有する超伝導接合素子を示したが、接合部の傾斜角度を例えば６０°としたランプエッジ型ジョセフソン接合を有する超伝導接合素子においても同様に適用することができる。
【００２０】
さらに、従来のＮｂ系超伝導接合作製技術を用いて、超伝導層Ｙ１２３上部に相分離したＹ２１１をバリア層とする超伝導接合素子も作製可能である。
【図面の簡単な説明】
【００２１】
【図１】本発明の高温超伝導接合素子の製造方法の一例を示す概略断面図
【図２】本発明の高温超伝導接合素子の製造方法の一例を示す概略断面図
【図３】本発明の高温超伝導接合素子の製造方法の一例を示す概略断面図
【図４】本発明の高温超伝導接合素子の製造方法の一例を示す概略断面図
【符号の説明】
【００２２】
１  MgO基板
２  Gd2BaCuO膜
３  YBa2Cu３O膜
４  Y2BaCuO膜  
５  GdBa2Cu3O膜
【図１】
2008071804.tif 000003
【図２】
2008071804.tif 000004
【図３】
2008071804.tif 000005
【図４】
2008071804.tif 000006